(57)【特許請求の範囲】
【請求項１】
環状突部２を胴部上端に周設し、かつ頂壁中央部を貫通して液体噴出用ステム４を上方付勢させ、押下げ可能に起立するエアゾール缶１と、
上記環状突部２外面へ筒部12下端を嵌着させて、エアゾール缶１から起立する有頂筒体を有し、筒部12の上部前面を開口13して、該開口上縁を形成する頂壁14の前端縁からは肉薄ヒンジ15を介してトリガー16を揺動可能に垂下するカバー体11と、
上記ステム４の上端部外面へ、筒部下端をステムの押下げが可能に嵌合させて上方へ起立する起立筒32上部からノズル33を前方突出する押下げヘッド31と、
上記カバー体の上部後方内に、後端部を枢着42させて前方突出するアーム43の下面から垂設した押圧棒44下端を上記起立筒32の上面へ載置すると共に、アーム前端から斜下前方へ傾斜板45を、上記カバー体の開口13の上部内方に位置させて突出する揺動部材41とからなり、
上記トリガー16の上部後面には、上記傾斜板45前面へ当接する圧接突部18を付設して、該当接によりトリガー16を下前方へ傾斜させると共に、ノズル33前方のトリガー部分に液体噴出用窓孔19を穿設して、上記肉薄ヒンジ15を中心とするトリガー16の下後方への揺動で、揺動部材41を介して押下げヘッド31を押下げ可能に形成し、
又トリガー16は肉薄ヒンジ15を中心とする上後方への揺動で、カバー体頂壁上面へ載置可能に形成した
ことを特徴とするエアゾール式液体噴出容器。
【請求項２】
傾斜板45下端から、ノズル33前端部を遊嵌させた透孔46付きの目隠し板47を垂下して、上記傾斜板の目隠し板とで、カバー体周壁前面の開口13を閉塞した
ことを特徴とする、請求項１記載のエアゾール式液体噴出容器。
【発明の詳細な説明】
【０００１】
【発明の属する技術分野】
本発明は、エアゾール式の液体噴出容器に関する。
【０００２】
【従来の技術】
エアゾール式の液体噴出容器は、通常、胴部上端と頂壁外周部との巻締め環状突部を胴部上端に有し、その頂壁中央部を貫通して、液体噴出用ステムを上方付勢させて、かつ押下げ可能に起立するエアゾール缶と、上記ステム上端部外面へ下部を嵌着させたノズル付きの押下げヘッドとで形成され、そのヘッド押下げにより、上記缶上部内のステム下端部分に設けた吐出弁が開いて押下げヘッドのノズルから液体を噴出し、又ヘッド解放によりステムが押下げヘッドと共に弾性復帰して上昇することで上記吐出弁が閉塞するよう設けられている。
【０００３】
上記エアゾール式液体噴出器は、押下げヘッドの押下げ面とノズル先端との距離が短かく、そのため噴出液体が押下げ面を押下げる指等に付着し易いため、上記押下げヘッドに代えて、起立筒上端から射出筒を前方突出すると共に起立筒の下部から後方へ枢着板を突出し、又射出筒前部から下前方へトリガーを突出する噴出器本体を設けて、その起立筒下端をステムの上部外面へ嵌着させると共に、エアゾール缶の巻締め環状突部外面へ周壁下端部を嵌着させて起立する前面開放のカバー体で、上記噴出器本体を覆い、該カバー体の後部内に上記枢着板後端部を枢着させると共に噴出器本体の射出筒前部およびトリガーをカバー体前方へ突出させ、トリガー引寄せにより噴出器本体が係合板後端の枢着部分を支点として下方へ揺動し、該揺動によりステムが押下げられて起立筒および射出筒内を通ってエアゾール缶内の液体が噴出するよう設けたものも知られている。
【０００４】
【発明が解決しようとする課題】
しかし上記トリガー付き液体噴出器本体は、枢着部分を中心とする噴出器本体およびトリガーの揺動でステムを押下げるから、トリガーを下方向へ押下げなければならないこととなり、するとそのトリガーの操作が行い難くなる欠点があった。
【０００５】
本発明はエアゾール缶のステム上端に嵌合させたノズル付き押下げヘッドと操作部材としてのトリガーとの間に揺動部材を介在させ、該揺動部材によりトリガーによっても押釦を容易に押下げ可能に設けたものである。
【０００６】
【課題を解決するための手段】
第１の手段として環状突部２を胴部上端に周設し、かつ頂壁中央部を貫通して液体噴出用ステム４を上方付勢させ、押下げ可能に起立するエアゾール缶１と、
上記環状突部２外面へ筒部12下端を嵌着させて、エアゾール缶１から起立する有頂筒体を有し、筒部12の上部前面を開口13して、該開口上縁を形成する頂壁14の前端縁からは肉薄ヒンジ15を介してトリガー16を揺動可能に垂下するカバー体11と、
上記ステム４の上端部外面へ、筒部下端をステムの押下げが可能に嵌合させて上方へ起立する起立筒32上部からノズル33を前方突出する押下げヘッド31と、
上記カバー体の上部後方内に、後端部を枢着42させて前方突出するアーム43の下面から垂設した押圧棒44下端を上記起立筒32の上面へ載置すると共に、アーム前端から斜下前方へ傾斜板45を、上記カバー体の開口13の上部内方に位置させて突出する揺動部材41とからなり、
上記トリガー16の上部後面には、上記傾斜板45前面へ当接する圧接突部18を付設して、該当接によりトリガー16を下前方へ傾斜させると共に、ノズル33前方のトリガー部分に液体噴出用窓孔19を穿設して、上記肉薄ヒンジ15を中心とするトリガー16の下後方への揺動で、揺動部材41を介して押下げヘッド31を押下げ可能に形成し、
又トリガー16は肉薄ヒンジ15を中心とする上後方への揺動で、カバー体頂壁上面へ載置可能に形成した。
【０００７】
第２の手段として、上記第１の手段を有すると共に傾斜板45下端から、ノズル33前端部を遊嵌させた透孔46付きの目隠し板47を垂下して、上記傾斜板の目隠し板とで、カバー体周壁前面の開口13を閉塞した。
【０００８】
【発明の実施の形態】
以下図面について説明すると、１は従来周知のエアゾール缶で、胴部上端と頂壁外周とを巻締めした環状突部２を胴部３上端に周設し、その頂壁中央部からは、該頂壁を貫通させて、下方押下げにより缶内液体を噴出するステム４が上方付勢されて起立する。
【０００９】
上記環状突部２外面へ、筒部12下端を嵌着させて、有頂筒体としてのカバー体11が起立する。該カバー体は図２が示すように、下部を円筒状に、その上方部分は前後方向へ長い、断面矩形筒状にするとよく、その上部前面を開口13し、かつ該開口上縁を形成する頂壁14の前端縁からは肉薄ヒンジ15を介してトリガー16を突出する。該トリガーは、左右両側に側板17,17 を有し、これ等側板は上部を巾広に、かつ下端を狭少とする三角形状として上端後部を圧接突部18としているが、これ等側板は後述揺動部材を揺動させるためのものであるから、三角形状の側板に代えて、トリガーの上部後面に圧接突部を付設するだけでもよい。トリガー16には液体噴出用窓孔19を穿設し、又下部には嵌合孔20を穿設している。該トリガーは図１が二点鎖線で示すように肉薄ヒンジ15を中心とする揺動で頂壁14上面へ載置可能とし、このとき上記嵌合孔19内へ嵌合してトリガーが頂壁14上面へ載置した状態を保つことが可能とする嵌合子21を頂壁上面に付設している。
【００１０】
31は押下げヘッドで、ステム４の上部外面へ、該ステムの押下げが可能に筒部下端を嵌合させた起立筒32上部からノズル33を前方突出する。
【００１１】
41は揺動部材で、上記カバー体の上部後方内に、後端部を枢着42させて、アーム43を前方突出し、該アーム下面から垂設した押圧棒44下端を、枢着42の前方に位置する上記起立筒32上面へ載置し、又アーム前端から斜下前方へ傾斜板45を突出し、該傾斜板下端からノズル33の前端部を遊嵌させた透孔46付きの目隠し板47を垂下し、該目隠し板下端をカバー体開口13の下縁部分内面へ当接させている。但し該目隠し板はカバー体内を隠し、又埃等がカバー体内へ入らないためのものであるから、必ずしも必要としない。
【００１２】
上記カバー体11、押下げヘッド31、揺動部材41はそれぞれ合成樹脂材で一体成形している。
【００１３】
上記構成において、図１の状態からトリガー16を後方へ引寄せすると、圧接突部18は肉薄ヒンジ15を中心とするトリガーの揺動によって上後方へ移動し、よって揺動部材41の傾斜板45の上方へ乗上げることとなり、よって傾斜板45は下方へ押圧されることとなる。すると、揺動部材41は後端の枢着42を中心として下方へ揺動し、よって押圧棒44が押下げヘッドの起立筒32上面を押下げ、ステム４も押下げられて、そのステムおよび押釦内を通ってエアゾール缶内液体が噴出する。次にトリガー16を離すと、上方付勢によりステム４と押下げヘッド31とが上昇し、揺動部材41およびトリガー16は元の位置に復帰する。
【００１４】
液体噴出終了後、トリガー16を上後方へ揺動させ、カバー体11の頂壁14上面へ載置させると、該状態では上記トリガー操作が不能となる。
【００１５】
【発明の効果】
本発明は既述構成とするものであり、カバー体頂壁14の前縁から肉薄ヒンジを介してトリガー16を垂下し、該トリガー16の上部後面に付設した圧接突部18を、揺動部材41のアーム前端から下前方へ突出する傾斜板45前面へ圧接させ、又アーム43から垂下する押圧棒44下端を押下げヘッド31の起立筒32上面へ載置させたから、又揺動部材41のアーム後端はカバー体11上部後方内に枢着42させてあるから、トリガー16の揺動で揺動部材41を、上記枢着42を中心として下方へ揺動させることが出来、従って上記押圧棒44を介して押下げヘッドを下方へ押下げすることが容易である。又トリガー16は上後方へ揺動させることでカバー体の頂壁14上へ載置可能としたから、該状態ではトリガー不用意に操作されて液体噴出することがないと共にトリガーが斜下外方へ突出したままでは他物に触れる等して邪魔となる筈であるが、上記のように頂壁14上への載置状態ではそのように邪魔となることがない。
【００１６】
又傾斜板45下端から、ノズル前端部を遊嵌させた透孔46付きの目隠し板47を垂下することでカバー体周壁前面の開口13を閉塞でき、外見を向上できると共に埃等がカバー体内へ入ることを防ぐことが出来る。
【図面の簡単な説明】
【図１】  要部を断面とした、本発明容器の側面図である。
【図２】  トリガーを上方へ移動させた状態で示す上記容器の斜視図である。
【符号の説明】
２…環状突部                    ４…ステム
11…カバー体                    16…トリガー
31…押下げヘッド                41…揺動部材
45…傾斜板
【図１】
0003681882.tif 000002
【図２】
0003681882.tif 000003